(57)【特許請求の範囲】
【請求項１】
ケーシング、枠体、時刻表示手段、および少なくとも時刻を提供する集積回路とを備え、上記集積回路は時刻設定をする第１のモードを含む複数のモードにて作動可能なマルチモード型電子時計のスイッチ機構であって、上記スイッチ機構は、
上記ケーシングと枠体を挿通する開口に設けた設定巻真と、
上記巻真は設定巻真の軸方向の移動に応答して複数の軸方向の位置に回動方向に
移動可能であり且つ作動的に配置でき、上記設定巻真は複数の歯を備えており、
上記設定巻真から離れ且つ上記設定巻真と平行に整列され、上記枠体のキャビティ内に固定結合される第１の端部と、第２の端部と、上記第１及び第２の端部の間に設けて上記設定巻真の複数の歯と係合する中間部とを備えた１個のスイッチアームと、
第１の電気接点と、この第１の電気接点から離して設けた第２の電気接点と、を備え、
上記設定巻真が軸方向の複数の設定位置の第１の位置にあるときに、電子時計が上記第１のモードにあり、上記中間部が複数の歯と断続的に係合できるようになっており、
上記設定巻真が軸方向の複数の設定位置の第２の位置にあるときに、電子時計は少なくとも第２のモードにあり、上記中間部が複数の歯と断続的に係合できるようになっており、
上記設定巻真が上記第１と第２の軸方向の位置にあって、第１の方向に回動されると、上記中間部は複数の歯と断続的に係合して、第１の偏倚方向にスイッチアームの第２の端部の偏倚をもたらし、これによって上記第２の端部と上記第１の電気接点との間の電気的接続を形成し、更に、上記設定巻真が第２の方向に回動されると、上記中間部は複数の歯と断続的に係合して、上記第１の偏倚方向とは逆方向にスイッチアームの第２の端部の偏倚をもたらして、上記第２の端部と上記第２の電気接点との間の電気的接続を形成し、
上記構成により、第２の端部と第１の電気的接点との間の電気的接続によって、対応する断続的な第１の電気パルスを形成し、上記第２の端部と第２の電気的接点との間の電気的接続によって対応する断続的な第２の電気パルスを形成し、
更に、上記スイッチアームが複数の歯の一つと係合した後に解放されて、弾性により中間位置に向かって移動すると、複数の歯の中の次の歯が上記スイッチアームのための端部停止として作用するようにしてなる、電子時計のスイッチ機構。
【請求項２】
上記集積回路は、スイッチアームの上記第２の端部と上記第１の電気的接点との電気的接続に応答して、時計の表示装置に表示される時刻を増やし、且つ、上記スイッチアームの第２の端部と上記第２の電気接点との電気的接続に応答して、時計の表示装置に表示される時刻を減少させるようにしてなる、請求項１に記載の電子時計のスイッチ機構。
【請求項３】
上記スイッチアームの中間部は、少なくとも１個の突起部を有し、上記設定巻真の複数の歯は充分な長さに形成されて、上記設定巻真が少なくとも第１と第２の軸方向の設定位置にあるときには、上記少なくとも１個の突起部と断続的に係合する、請求項１に記載の電子時計のスイッチ機構。
【請求項４】
上記スイッチアームの中間部は、少なくとも１個の突起部を有し、上記設定巻真はその長手に沿って設けた少なくとも２セットの、少なくとも１個の平滑部によって互いに離して形成した歯を有し、上記設定巻真が少なくとも１個の軸方向設定位置にある時に、上記少なくとも１個の突起部は上記少なくとも２セットの１個と断続的に係合して前記第１及び第２の電気パルスの少なくとも一方を形成し、上記設定巻真が少なくとも別の１個の設定位置にあるときには、上記少なくとも１個の突起部は少なくとも１個の上記平滑部と協働して第１と第２の電気パルスの生成を妨げるようにしてなる、請求項１に記載の電子時計のスイッチ機構。
【請求項５】
上記少なくとも２セットの歯は、ｎセットの歯より成り、上記少なくとも１個の平滑部はｎ−１個の平滑部より成り、上記「ｎ」は２から４までの範囲の整数である、請求項４に記載の電子時計のスイッチ機構。
【請求項６】
上記スイッチアームの中間部は、少なくとも１個の突起部を有し、この突起部は、上記設定巻真が少なくとも上記第１及び第２の軸方向の設定位置にある時に複数の歯と断続的に係合するような充分な長さを有してなる、請求項１に記載の電子時計のスイッチ機構。
【請求項７】
上記スイッチアームの中間部は平滑部によって隔絶された少なくとも２個の突起部を有し、上記設定巻真が少なくとも１個の軸方向の設定位置にある時に、上記複数の歯は少なくとも上記２個の突起部と断続的に係合し、更に、上記設定巻真が他の軸方向設定位置の少なくとも１個の位置にあるときに、上記複数の歯は上記平滑部と協働して、上記複数の歯と少なくとも２個の突起部のうちの１個との間との係合を妨げるようにして成る、請求項１に記載の電子時計のスイッチ機構。
【請求項８】
上記設定巻真は、上記スイッチアームの中間部と係合する複数の一体形成型の歯を備えて成る、請求項１に記載の電子時計のスイッチ機構。
【請求項９】
上記第１の電気接点と第２の電気接点は、回路に形成された剛性の電気接点である請求項１に記載の電子時計のスイッチ機構。
【請求項１０】
ケーシング、枠体、時刻表示手段および集積回路を備えたマルチモード型の電子時計用スイッチ機構であって、上記スイッチ機構は、
上記ケーシングと枠体を通る開口に装着された設定巻真と、
上記設定巻真は回転可能であり且つ上記設定巻真の軸方向の移動に応答して作動
可能に配置できるようになっており、上記設定巻真は複数の歯を備えており、
上記設定巻真から離れて設けられ且つこの設定巻真と平行に整列され、上記枠体のキャビティに固定状に結合された第１の端部と、第２の端部と、上記第１の端部と第２の端部との間に位置して上記設定巻真の複数の歯と係合できる中間部とを備えて成る１個のスイッチアームと、
第１の電気的接点と、これに対して間隔をおいて配置された第２の電気的接点とを有し、
上記設定巻真が複数の軸方向設定位置の第１の位置にあるときに、電子時計が第１のモードにて作動中であり、また、上記設定巻真が複数の軸方向設定位置の少なくとも第２の位置にあるときには、上記電子時計は少なくとも第２のモードにて作動中であり、
上記第１のモードにあるときに、上記中間部は複数の歯と協働して、第２の端部が第１の偏倚方向に偏倚され且つ第１の電気的接点に接続したときに上記設定巻真が第１の方向へ回転する回転に応答して、断続的な第１の電気パルスを生成し、更に、上記第２のモードにあるときに、上記中間部は複数の歯と協働して、上記第２の端部が上記第１の偏倚方向とは反対方向に偏倚され且つ第２の電気的接点と接続したときに上記設定巻真が第２の方向に回転する回転に応答して、断続的な第２の電気パルスを断続的に生成し、
更に、上記スイッチアームが複数の歯の一つと係合した後に解放されて、弾性により中間位置に向かって移動すると、複数の歯の中の次の歯が上記スイッチアームのための端部停止として作用するようにしてなる、電子時計用スイッチ機構。
【請求項１１】
上記集積回路は、複数のモードの中の少なくとも１個のモードにて設定機能が作動中において、上記第１及び第２の断続的電気パルスに応答してなる、請求項１０に記載の電子時計用スイッチ機構。
【請求項１２】
上記設定巻真は、上記スイッチアームの中間部と係合する複数の一体形成型の歯を備えてなる請求項１０に記載の電子時計用スイッチ機構。
【請求項１３】
ケーシング、枠体、および複数のモードにて作動可能な集積回路とを備え、上記モードの第１のモードは情報設定モードであるマルチモード型の電子装置のスイッチ機構であって、上記スイッチ機構は、
上記ケーシングと枠体を通る開口に装着された設定巻真と、
上記設定巻真は回動可能であると共に、設定巻真の軸方向の移動に対応して複数
の軸方向の設定位置において作動可能に配置できるようになっており、また、上
記設定巻真は複数の歯を備えており、
上記設定巻真から離れて配置され且つ上記設定巻真と平行に整列され、枠体のキャビティ内に固定的に結合される第１の端部と、第２の端部と、上記第１と第２の端部の間に位置して上記設定巻真の複数の歯と係合する中間部とを備えた１個のスイッチアームと、
第１の電気的接点と、これより離れて設けた第２の電気的接点とを有し、
上記設定巻真が上記複数の軸方向設定位置の第１の位置にあるときに、上記電子装置は第１のモードにあり、上記中間部は複数の歯と断続的に係合できるようになっており、
上記設定巻真が上記複数の軸方向設定位置の第２の位置にあるときに、上記電子装置は少なくとも上記第２モードにあり、上記中間部は複数の歯と断続的に係合可能となっており、
上記設定巻真が上記第１と第２の軸方向位置の一方にあり且つ第１の方向に回動されると、上記中間部は複数の歯と断続的に係合してスイッチアームの第２の端部を第１の偏倚方向に偏倚させ、上記第２の端部と上記第１の電気的接点との間の電気的接続をもたらし、上記設定巻真が第２の方向に回転されると、上記中間部は複数の歯と断続的に係合して上記スイッチアームの第２の端部を上記第１の偏倚方向とは反対方向に偏倚させ、これによって上記第２の端部と上記第２の電気的接点との断続的な電気的接続を達成せしめ、
上記第２端部と上記第１の電気的接点との断続的な接続によって、対応する断続的な第１の電気的パルスを形成し、上記第２の端部と上記第２の電気的接点との接続によって対応する断続的な第２の電気的パルスを形成し、
更に、上記スイッチアームが複数の歯の一つと係合した後に解放されて、弾性により中間位置に向かって移動すると、複数の歯の中の次の歯が上記スイッチアームのための端部停止として作用するようにした、電子装置のスイッチ機構。
【請求項１４】
ケーシング、枠体、および複数のモードにて作動可能な集積回路とを備えたマルチモード型の電子装置のスイッチ機構であって、上記スイッチ機構は、
上記ケーシングと枠体を通る開口に装着された設定巻真と、
上記設定巻真は回動可能であると共に、設定巻真の軸方向の移動に対応して複数
の軸方向の設定位置において作動可能に配置できるようになっており、また、上
記設定巻真は複数の歯を備えており、
上記設定巻真から離れて配置され且つ上記設定巻真と平行に整列され、枠体のキャビティ内に固定的に結合される第１の端部と、第２の端部と、上記第１と第２の端部の間に位置して上記設定巻真の複数の歯と係合する中間部とを備えた１個のスイッチアームと、
第１の電気的接点と、これより離れて設けた第２の電気的接点とを有し、
上記設定巻真が複数の軸方向設定位置の第１の位置にあるときに、上記電子装置は第１のモードで作動中であり、また、上記設定巻真が複数の軸方向設定位置の少なくとも第２の位置にあるときに、上記電子装置が少なくとも第２のモードにて作動中であり、更に、
上記第１のモードにあるときには、上記中間部は複数の歯と協働し、上記第２の端部が第１の偏倚方向に偏倚され且つ上記第１の電気的接点と接続すると、上記設定巻真が第１の方向に回転しその回転に応答して、断続的な第１の電気パルスを断続的に発生させ、更に、上記第２のモードにあるときには、上記中間部は複数の歯と協働して、上記第２の端部が上記第１の偏倚方向とは反対方向に偏倚され且つ上記第２の電気的接点と接続したときに、上記設定巻真が第２の方向に回転し、その回転に応答して、断続的第２の電気パルスを断続的に形成し、
更に、上記スイッチアームが複数の歯の一つと係合した後に解放されて、弾性により中間位置に向かって移動すると、複数の歯の中の次の歯が上記スイッチアームのための端部停止として作用するようにした、電子装置のスイッチ機構。
【発明の詳細な説明】
【０００１】
この出願は、本願出願人による米国特許出願第09/264,523号（1999年03月08日出願：発明の名称「竜頭とプッシャとの組合せ電子機構」、発明者：ミッシル  Ｇ．プラコン）に関連するものである。
【０００２】
本発明は、デジタル式時計、デジタル・アナログ式時計、或いは電子設定装置を備えたアナログ式時計、といった様々な電子機器に関するものであり、より具体的には、上記デジタル式時計、デジタル・アナログ式時計、或いは電子設定装置を備えたアナログ式時計に用いられるスイッチ機構の改良に関するものである。
【０００３】
一般に、アナログ式時計は、時計ケース、時計ケースに収納され且つ歯車列を駆動して時刻表示針を作動するステッピングモータを備えたムーブメント、文字板、文字板照明装置、ムーブメントに摺動可能に設けた回転自在の巻真、時計ケースの外部にある巻真に取り付いて巻真を手動にて回転及び摺動させる竜頭作動体、巻真に取り付いて巻真が通常の「駆動」位置から「セット（設定）」位置に引き出されたときに歯車列と係合する設定ピニオンとを備えている。竜頭作動体、巻真および設定ピニオンは、所謂「竜頭設定機構」を備えている。「設定」位置にある時には、竜頭設定機構は手動で作動され、巻真の設定ピニオンが歯車列と螺合している設定ギヤの歯と係合する。かくして、竜頭作動体を回動することで時刻表示針を回転して、時間が設定される。この種の構成例としては本願出願人による米国特許第5,083,300号（1992年01月21日登録）がある。
【０００４】
上記先行技術に見られる通り、竜頭設定機構は文字板照明装置と協働して、巻真が「作動」位置から「スイッチング（切り替え）」位置に押し込まれると、文字板が照明される。このような竜頭と押し体（プッシャ）との併用構造の例としては本願出願人の米国特許第5,644,553号（1997年07月01日登録）がある。本願明細書では上記２件の米国特許第5,083,300号および第5,644,553号の開示内容を、本発明の関連内容として包含するものである。
【０００５】
一方、デジタル式時計は、表示装置、表示装置を照明するランプ、手動型スイッチ（以下、プッシャと称す）、集積回路とを備えている。周知の通り、デジタル式時計は、時刻（ＴＯＤ）モード、クロノグラフ（ＣＨＲＯＮＯ：ストップウオッチ型）モード、アラーム（ＡＬＡＲＭ）モード、経過タイマー（ＴＩＭＥＲ）モード、並びに交替タイムゾーン（Ｔ２）モード、といった諸々の複数作動モードを備えている。一般に、複数のプッシャの一個が或る一つの作動モードから別の作動モードへと変換するように作動される。残りのプッシャ群の中の１個が、現在動作中の作動モードにおいて表示されている情報を変更するように作動できるようになっている。例えば、アラーム（ＡＬＡＲＭ）モードにおいて、第１のプッシャを作動して表示装置の数値で現した位置を選択する。第２のプッシャを作動して、表示装置の所定の数値群（例えば０−９の数値）のなかの数値位置を配列する。この数値群の中から一つの数値位置を選んで表示装置上の数値位置の現在の数値を表示して第２のプッシャは開放される。再び第１のプッシャを作動して現在選択中の数値位置を外し、表示装置の次の数値位置を選択する。このようにして、所定の時刻が特定でき、その時刻において、アラーム音が作動される。このようなマルチモード、マルチ機能型の電子時計としては本願出願人所有の米国特許第4,783,773号（1988年11月08日登録）、同第4,780,864号（1988年10月25日登録）に記載されており、この両特許に記載の内容は、本願発明の説明内容に関連するものとして包含するものである。
【０００６】
利用可能な作動モードの数と表示される情報量並びに各作動モードでの設定数が多くなると、モード群の作動と表示情報の設定に要するプッシャの数も増大することになる。モード数が多くなれば使用の複雑性が増す一方で、プッシャ数が増加すると時計の審美的アピール度が減ずることになる。例えば、数多くの作動モード群や作動中の表示情報を介して、どのプッシャを作動させなければならないかを明確にする必要性から、使用の複雑性が増加することになる。このような複雑性の増加は、時計の使用者のいらいらを増大させることにもなる。
【０００７】
本発明者は、アナログ式時計の竜頭設定機構で実行される設定機能は、従来のデジタル式時計のプッシャ群で成される設定機能よりも、使用者とっては直感的・感覚的にすんなりとスムーズに成し得るものであることを知得した。
【０００８】
本願出願人の米国特許第3,874,162号（1975年04月01日登録）、同第4,031,341号（1977年06月21日登録）はデジタル式電子時計の機能を作動するための二重機能型プッシャと回転型スイッチ集成体を開示している。例えば上記２件の特許のうち前者は巻真戻り止めとスイッチ機構を有し、これによって４位置型回転戻り止め作動をさせて時、分及び秒カウンターを進行又はリセットさせ、作動モードを選択し、或いはデジタル時計のシャットダウン即ち停止を行う。
【０００９】
本願出願人による米国特許第4,209,976号（1980年07月01日登録）では、回転可能で軸方向の移動が可能な巻真に装着した一段歯車装置の歯車と、時間修正用のスイッチ集成体を備えた回転型スイッチ機構が開示されている。このスイッチ集成体は第１と第２のスイッチ接点と、その間に介装した中心スイッチブレードを備えている。中心スイッチブレードは歯車の歯の近傍内に正確に位置されている。巻真が回転すると、一段歯車装置の歯は中心スイッチブレードを偏向させ第１又は第２のスイッチ接点を打つ。時間修正回路が中心スイッチブレードが第１と第２のスイッチ接点のどちらを打つのかを検知し、それに応答して、それぞれの接点に基づいて表示時間を増減する。例えば、巻真が時計回りに回動する結果、第１の接点を打つことになれば、それは表示された時間を増加せしめ、一方、反時計回り方向に巻真が回転することによって第２の接点を打つ場合には、表示時間を減少させる。
【００１０】
上記米国特許第4,209,976号において確認された欠点は、一段歯車と中心スイッチブレードと第１及び第２の接点との間において、時間修正回路を駆動するための正しい整合が必要とされる点である。即ち、例えば製造上の公差などによって上記のそれぞれの要素間において不整合が生じると、上記特許の構成ではスイッチ機構が作動しなくなる。
【００１１】
上記のような従来技術に対して、本発明は竜頭スイッチ機構を提供するものであり、この竜頭スイッチ機構は、関連する部材や要素を最少とし、複数の軸方向の設定位置を設け、時間修正と関連する動作とマニュアル（手動）制御の改良を図るものである。本発明は時間修正回路の駆動に用いる要素や素子の製造公差による影響を最小とするものである。
従って、本発明は、前記差異を克服し、以下に示す利点及び効果を達成することのできる竜頭スイッチ機構を提供するものである。
【００１２】
以上より、本発明の主たる目的は、例えばデジタル式時計、アナログ・デジタル併用型時計、及び電子設定型アナログ式時計といった電子装置に用いる改良された竜頭スイッチ機構を提供するものである。
本発明の別の目的は、所定数の軸方向の設定位置を有すると共に、所定数の回転方向の設定位置を有して電子装置の選択的な設定機能を実行できるようにした竜頭スイッチ機構を提供することである。
本発明の更に別の目的は、上記竜頭スイッチ機構の選択的な軸方向及び回転方向の移動に応答して、設定信号を発生する竜頭スイッチ機構を提供することである。
本発明の更に別の目的及び効果は、添付図面を参照して述べる以下の記載より一層明確となろう。
【００１３】
本発明によって前記及びその他の問題点は解消されるとともに、上記本発明の目的と効果は、以下に説明する本発明の実施例による多重モード型の電子装置用の改良された竜頭スイッチ機構によって達成できるものでる。
【００１４】
概して、スイッチ機構は、例えばケースと時刻表示手段及び集積回路を備えた多重モード型電子装置用として用いられている。集積回路は、少なくとも時刻を含む計時関連機能を実行する。複数モードの少なくとも１個は、時刻を設定する動作を含んでいる。
【００１５】
好ましくは、スイッチ機構はケースの開口に装着される設定巻真、具体的には、設定巻真の軸方向の移動に応答して複数の軸方向設定位置に作動可能に位置される設定巻真である。設定巻真は、少なくとも１個の歯を備えている。スイッチ機構は更に設定巻真から離れて位置するスイッチアームを含んでいる。スイッチアームは、スイッチ機構の本体部に設けたキャビティ内に固定的に結合した第１の端部と、段２の端部、並びに上記第１の端部と第２の端部との間に位置した中間部とを備えている。上記中間部は設定アームの少なくとも１個の歯と係合している。スイッチ機構は更に、第１の電気接点と、これとは離れて位置した第２の電気接点を備えている。
【００１６】
複数の軸方向の設定位置の第１番目に設定巻真が位置する場合、電子時計は第１のモードにあり、中間部は少なくとも１個の歯に断続的に係合可能となっている。係合状態にあるとき、スイッチアームの第２の端部は偏倚し、第２の端部と、第１及び第２の電気接点の一方との間において電気的接続をもたらす。同様に、設定巻真が複数の軸方向設定位置の第２の位置にあるときには、電子時計は少なくとも第２モードに在り、中間部は少なくとも１個の歯に断続的に係合可能となる。この断続的な係合によりスイッチアームの第２の端部が偏倚し、第２の端部と、第１と２の電気接点の少なくとも一方との間において電気的な接続が形成される。
【００１７】
設定巻真が第１及び第２の軸方向位置の一方に位置して第１の方向に回動する場合、中間部は少なくとも１個の歯に断続的に係合し、上記のようにスイッチアームの第２の端部の偏向となる。この偏向により、第２の端部と第１の電気接点との間の電気的接続ができる。設定巻真が第２の（即ち上記とは別の）方向に回転されると、中間部は少なくとも１個の歯と係合してスイッチアームの第２の端部の偏倚をもたらし、かくて、第２の端部と第２の電気接点との間の電気的接続をもたらす。第２の端部と第１の電気的接点との断続的な導通によって、断続的な第１の電気パルスが形成され、また、第２の端部と第２の電気接点との断続的な導通によって断続的な第２の電気パルスが形成される。
【００１８】
好適な実施例において、断続的な第１の及び第２の電気信号は、電子装置の複数のモードの中の少なくとも１個のモード内にあるときに遂行される設定機能に対する入力である。例えば、断続的な第１の電気パルスは、少なくとも１個の設定機能中においては所定の一連の数値を介して１個の数値だけ増加させ、他方、断続的な第２の電気パルスは、少なくとも１個の設定機能中において所定の一連の数値を介して１個の数値だけ減ずる。好適な実施例において、竜頭スイッチ機構は、多重モード型電子時計の設定機能中において入力信号を生成するスイッチ機構に対するプッシュ・プルと回転の併用である。
【００１９】
本発明の顕著な特徴は、複数の設定位置に設定巻真が位置する場合において、設定巻真とスイッチアームとの間の選択的係合をなさしめるスイッチアームと、設定巻真の構成である。
【００２０】
本発明は、マルチモードの電子装置、特にデジタル式時計、アナログ・デジタル併用式時計および電子設定装置を備えたアナログ式時計に用いられる、プッシュ・プルと回転とを併用したスイッチ機構に係るものである。デジタル式時計、アナログ・デジタル併用式時計および電子設定装置を備えたアナログ式時計に関しては周知であり、例えば、本願出願人による米国特許第4,783,773号（1988年11月08日登録）、同4,780,864号（1988年10月25日登録）及び同4,283,784号（1981年08月11日登録）がある。本明細書では上記従来技術の記載を関連する記載として包含するものである。
【００２１】
図１は本発明によるマルチモード・マルチ機能型の電子時計の時計回路１の要素を示したものである。簡便のためと、電子時計の一般的な構成と機能については上記の先行技術特許に示すとおり既に周知であるので、添付の図１では回路１の要素群を開示しないで簡略化したブロック図として示すことにする。
【００２２】
図１において、時計回路１は、例えばプリント回路板（ＰＣＢ：図示せず）に固着された集積回路チップ形式であってプログラム可能なマイクロコンピュータ（以下、マイコン）２を含んでいる。マイコン２はマイクロプロセッサ（μＰ）２ａを備え、これば電子時計と記憶装置（ＭＥＭ）２ｂの時計機能を達成するための好適な指示を実行するようにプログラムされている。時計回路１は更に、時刻を示す時間表示信号を発生する計時回路３を備えている。マイコン２は時間表示信号４を入力し、そして、少なくとも１個の動作モードにおいて、上記信号４を処理して表示ブス５に出力信号を送り、これを介して液晶表示装置（ＬＣＤ）６などの表示装置に出力する。ＬＣＤ６は時間及び／又は他の数字や文字、或いは記号をマイコン２の指示に従って表示する。一般に知られているように、表示ブス５としては、並列のリード線群とし、ＬＣＤ６の多くのセグメント群を作動する。変形例としては、ＬＣＤ６の代わりに、時間を表示するように作動する針を備えた文字板とすることも可能である。
【００２３】
時計の少なくとも１個の作動モードの機能設定中において、表示装置６に現れた情報をセット又はリセットできる。本発明においては、スイッチ機構７は、所定の設定機能中にマイコン２への入力信号８を生成する。この入力信号８はマイクロプロセッサ（μＰ）２ａに送られ、例えば所定の数値シーケンスを介して表示装置６に表示された数値を増加又は減少させる。一実施例としては、所定の数値シーケンスは記憶装置（ＭＥＭ）２ｂに保存される。かくて、上記マイクロプロセッサ（μＰ）２ａは入力信号８を入力する前に、保存された数値シーケンスを引き出す。別の実施例としては、入力信号８は時計回路３内にて１個又は複数の数値をセット或いはリセットするように処理することも可能である。この点に関して、制御信号９をマイコン２（即ち、マイクロプロセッサ２ａ）から計時回路３に移送して計時回路３にて１個或いはそれ以上の数値をセットすることができる。
【００２４】
図２において、マルチモード・マルチ機能型電子時計１０は時計ケース（図示せず）に位置した時計ムーブメント枠体１４を含んでいる。このムーブメント枠体１４は図１の時計回路１を収容するキャビティ、即ち凹所を備えている。マルチモード・マルチ機能型の電子時計１０の一般的な構成と計時機能については上記の先行技術特許に示すとおり既に周知であるのでここでの詳細な説明は省略する。
【００２５】
図２において、電子時計１０はスイッチ機構７、即ち符号１２で示した竜頭スイッチ機構を備え、これにより時計１０の多くの計時関連機能を選択的に作動すると共に、特に、時計１０の現在進行中の作動モードにおいてセット、リセット機能を果たす。竜頭スイッチ機構１２は、例えばネジ止めなどの従来の方法で上記ムーブメント枠体１４に装着され、次いで時計１０のケース内に納められる。
【００２６】
竜頭スイッチ機構１２は設定巻真１６とスイッチ装置とを備えていることが望ましい。設定巻真１６は時計ケースの孔から突出している。戻り止めバネ４２が設定巻真１６の複数の環状溝（詳細は後述）と係合して、複数の軸方向の設定位置を達成すると共に、時計ケースから設定巻真１６が突発的に引っ込んでしまうのを防止している。時計ケース内に設けた上記設定巻真１６の第１の端部は板バネ１８である。この板バネ１８は巻真１６の第１の端部と係合し、巻真１６を付勢、即ち負荷を与え、押しボタンの場合同様に、軸方向の設定位置の押し込み位置、即ちプッシュ位置を形成している。時計ケースの外部に位置された設定巻真１６の第２の端部にはノブ若しくは竜頭（図示せず）が装着され、軸方向の複数の設定位置において巻真１６を手動にて軸方向にスライドできるようになっている。
【００２７】
複数の軸方向設定位置には、たとえば通常の「作動」位置、「プッシュ」または「スイッチ」位置、第１の引き出し若しくは「時間設定」位置および第２の引き出し若しくは「交替設定」位置、等を含ませることが出来る。通常の「作動」位置では、時計１０の設定機能は作動できないで、その代わり時計１０で時間関連情報を表示し、計時機能を提供する。「プッシュ」位置では、設定巻真１６は位置表示装置２８（詳細は後述）と協働して、例えば表示装置を照明するなど、時計の特徴的機能を駆動する。上記第１及び第２の引き出し位置では、時計１０のセット又はリセット機能を遂行できる。
【００２８】
スイッチ装置は、好ましくは、バネスイッチアーム２０と、第１の電気接点２２，第２の電気接点２４を備えている。第１の端部では、バネスイッチアーム２０は、半田付けやネジ止めなどの緊締手段によってスイッチ機構１２の本体部３０に固定され、設定巻真１６の回動軸と整合させている（図２の軸Ａ参照）。バネスイッチアーム２０は更に、上記第１の端部の反対側に位置する第２の端部が第１の電気接点２２と第２電気接点２４との間に位置するように整合されている。
【００２９】
本発明では、図７Ａ及び図７Ｂに示したとおり、設定巻真１６は第１の部分１６ａを備えており、これは、設定巻真１６の外径の周りに位置した複数の一体構成型歯２６を備えているのが望ましい。設定巻真が回動されると、一体形成の複数の歯２６はバネスイッチアーム２０と協働してバネスイッチアーム２０と第１の電気接点２２若しくは第２電気接点２４との間の断続的な係合をもたらす。この係合の結果、バネスイッチアーム２０と上記第１と第２の電気接点２２，２４の一方との間において電気的接続を形成して電気パルスを形成する。この電気パルスは、所定の設定機能に対して入力（例えば、入力信号８）として回路１（図１参照）によって使用される。
【００３０】
本発明では、設定巻真１６が例えば第１の時計回り方向に連続回動されると、設定巻真１６の歯２６が係合し、バネスイッチアーム２０を回動軸（Ａ軸）と共通の平面の中間位置から、バネスイッチアーム２０の第２の端部が第１の電気接点２２（図７Ｂ）に係合する位置へと偏倚させる。継続的な回転とその結果の断続的な係合によって、所定の設定機能に入力として使用される第１の電気パルス群（後述）を形成する。
【００３１】
本発明の一形態において、図７Ａ及び図７Ｂに示すように、バネスイッチアーム２０は、複数の歯２６の間の空間２６ａに突出している中間部２０ａを備えている。設定巻真１６が継続して回転されると、上記歯２６は回転方向に上記中間部２０ａを繰り返し偏倚させる。バネスイッチアーム２０はフレキシブルでバネ様の作動をすることができる。かくて、バネスイッチアーム２０の第２の端部は、中間部２０ａと同じ方向に連続して回転される歯２６によって偏倚される。例えば、設定巻真１６が連続して時計回り方向に回転されると、中間部２０ａは繰り返し偏倚されて、バネスイッチアーム２０の第２の端部が繰り返し第２の電気接点２２に係合する。
【００３２】
本発明によれば、設定アーム１６の複数の一体形成型は２６はその数を最適の数として、歯２６の１個によってバネスイッチアーム２０が電気接点２２及び２４の１個と係合した後で、スイッチアームが開放され、バネスイッチアームの弾性により、バネスイッチアーム２０は軸Ａと共通の平面における中間位置に戻る。バネスイッチアーム２０が開放されると、バネスイッチアーム２０と電気接点２２及び２４の一方との間の導通が破壊される。設定巻真が連続回転されると、歯２６の中の次の歯がバネスイッチアーム２０を偏倚し、電気接点２２，２４の一方と係合し、電気的接続を形成する。歯２６の上記構成により、以前の歯によってバネスイッチアームが開放されて中間位置に向かって移動すると、歯２６の中の次の歯がバネスイッチアーム２０のための端部停止として作用する。好ましくは、この端部停止作動を得るための歯２６の数を７個とするのがよい。歯の数を７個とすることで、中間位置を過ぎてバネスイッチアーム２０の過度の揺動を防いでいる。
【００３３】
更に、本発明では設定巻真１６が別の歯２６の形態を備えてもよい。例えば、歯２６の数を選択するにおいて所望の設定速度、即ち、設定機能内の数値が設定巻真１６の回転速度に関連して増加または減少させる割合、に対応させることができる。歯２６の数が多くなればなるほど、増加または減少する数値の速度も速くなる。この点に関して、出願中の米国特許第09/264,523号にはクリック・ホイール集成体の歯に関する複数の構成例とその結果の電気信号「識別用署名（サイン）」（例えば上記出願の第９Ａ図〜第９Ｄ図、第１０Ａ図〜第１０Ｈ図及び第１１Ａ図〜第１１Ｄ図参照）。上記出願の内容も本願発明の説明の参考とした。
【００３４】
さて、上記の要素群は協働してバネスイッチアーム２０と電気接点２２，２４との電気的接続を繰り返し形成し、設定巻真１６が継続して回転されると、関連する歯２６とバネスイッチアーム２０と電気接点２２，２４間の係合と開放によって、その結果、電気信号、即ち連続するパルス化された電気信号が形成される。従って、歯２６の数が多くなると、それだけパルス信号の頻度が多くなる。
【００３５】
前記の通り、設定巻真１６は複数の軸方向設定位置内において軸方向に移動可能となっている。従って、一実施例としては、歯２６の中の各歯の長さは、歯２６が複数の軸方向設定位置においてバネスイッチアーム２０の中間位置２０ａと係合できるようになっていて、これら複数の位置の各々において異なる時間設定機能が果たせるようになっている。この点、図８Ａ〜図８Ｄにおいて、設定巻真１６の軸方向４つの設定位置が示されている。
【００３６】
具体的には、図８Ａから図８Ｄにおいて、設定巻真１６の押し込み位置、即ち「スイッチ」位置（図８Ａ）と、「通常作動」位置（図８Ｂ）、第１の引っ張り、即ち「時間設定」位置（図８Ｃ）、そして第２の引っ張り、即ち、「交替設定」位置（図８Ｄ）とを有している。図８Ａと図８Ｂにおいて、細長い歯２６’はバネスイッチアーム２０の中間位置２０ａとは係合しない。かくて、「スイッチ」位置と「通常作動」の軸方向設定位置において、設定巻真を時計回り方向又は反時計回り方向に回転することによって電気信号は発生しない。しかしながら、図８Ｃと図８Ｄにおいて、細長い歯２６’の長さが、「時間設定」位置と「交替設定」の双方の位置において、設定巻真１６を回転させると上記細長い歯２６’が中間位置２０ａに係合し、前記の偏倚とパルス化電気信号が発生する結果となるような長さである。
【００３７】
別の変形例（図８Ｅから図８Ｇ）としては、設定アーム１６の歯２６は設定アーム１６の長手近傍に位置したｎセットの歯群を含んだ構成である。好ましくは、上記「ｎ」は２〜４までの整数とし、時計に装備された軸方向の設定位置の数に相当する。図８Ｅ〜図８Ｇにおいて、「ｎ」セットの歯は２セットの歯２６’’であり少なくとも１個の平滑部１６ｄで分離されている。本発明において、ｎセットの歯２６’’によって複数の軸方向設定位置において歯２６’’と中間部２０ａとの選択的な係合が可能となる。例えば、図８Ｅにおいて、この実施例の「スイッチ」設定位置が開示されている。図８Ｅでは、第１のセットの歯２６’’は、設定巻真１６が回動されて前記の第１及び第２の電気信号を発生すると、バネスイッチアーム２０の中間部２０ａに係合する。図８Ｆにおいて、「通常作動」位置が示されており、ここでは、中間位置２０ａが設定巻真１６の平滑部１６ｄの上方に位置している。その結果、「通常作動」位置においては、歯２６’’の係合や偏倚は見られず、中間部２０ａと、パルス化電気信号の形成に必要な電気的接続は存在しない。図８Ｇに示す「時間設定」位置において、設定巻真１６が回転すると、その結果、歯２６’’によって中間部２０ａの偏倚が形成される。かくて、設定巻真１６の回動に応答して電気信号が生成される。
【００３８】
前記ｎセットの歯２６’’を変えることで、軸方向の種々の設定位置内にて電気信号が発生できるようにすることが可能である。このように、本発明では複数の軸方向の設定位置内において回転設定位置を選択的に設けることができるものである。
【００３９】
本発明の別の態様において、バネスイッチアーム２０の中間部２０ａは、設定巻真１６の軸方向の設定位置において電気信号を選択的に発生できるように構成されている。この実施例では、一体形成の歯２６は、一時に１個だけの軸方向設定位置において中間位置２０ａと係合できるような長さとなっている。しかしながら、中間部２０ａは軸方向の多くの設定位置と係合できるようになっている。例えば、図９Ａ〜図９Ｄにおいて、中間部２０ａは突起部２０ｂと平滑部２０ｃとを含んでいる。図９Ａと図９Ｂに示すように、突起部２０ｂと平滑部２０ｃとは継続する軸方向の設定位置内において整列して設けられて、設定巻真１６が「時間設定」位置及び「交替設定」位置にある時に、歯２６と中間部２０ａとの間の実効的な係合ができるようになっている。ここで、設定巻真１６が「スイッチ」及び「通常作動」の位置にあるときには上記の係合が成されない。
【００４０】
図９Ｃ及び図９Ｄに示す別の実施例において、中間部２０ａは別の（交替の）突起部２０ｂと平滑部２０ｃを有している。これらの突起部２０ｂ、平滑部２０ｃ、一体形成の歯２６，設定巻真の軸方向の移動、そして設定巻真の回転方向の移動とが協働して、複数の軸方向の設定位置における対応する一つに対して、回転方向の設定位置を選択的に提供する。
【００４１】
例えば、図９Ｃにおいて、設定巻真１６は「通常作動」位置（「作動」位置）に在る。この実施例では、設定巻真１６の回転移動（設定巻真１６が「作動」位置にあるとき）は、歯２６と中間部２０ａとの係合はなさない。即ち、「通常作動」位置では、歯２６は設定巻真１６の少なくとも１個の平滑部２０ｃに位置する。その結果、バネスイッチアーム２０は、第１の電気接点２２又は第２の電気接点２４の何れか一方と係合する目的で設定巻真１６の回転移動によって偏倚されない。しかし、設定巻真１６が例えば「時間設定」の設置位置に軸方向に移動されると、設定巻真１６の一体形成の歯２６は少なくとも１個の突起部２０ｂと係合することになる（図９Ｄ）。このように、設定巻真１６が第１の方向に回転されると、歯２６は少なくとも１個の突起部２０ｂを偏倚させ、バネスイッチアーム２０は第１の電気接点２２と係合する。同様に、設定巻真１６が第２の方向に回転されると、設定巻真１６の歯２６は少なくとも１個の突起部２０ｂを偏倚させ、バネスイッチアーム２０は第２の電気接点２４と係合する。
【００４２】
バネスイッチアーム２０の上記中間部２０ａは、軸方向の設定位置に対応させて、係合できる突起部２０ｂを付加するように形成することも可能である。例えば、図９Ｃ及び図９Ｄは「交替設定」位置（「第２の引き出し」位置とも称す）と「押し込み」或いは「スイッチ」位置を示している。図示の通り、「スイッチ」位置は突起部２０ｂの１個を含んでおり、他方、「交替設定」位置は平滑部２０ｃの１個を含んでいる。かくて、「スイッチ」位置において回転方向の設定位置は達成できるが、「交替設定」位置では達成できない。しかしながら、変形例においては（図示せず）「交替設定」位置は突起部２０ｂの１個を含むことが出来る。この変形例では、設定巻真１６をどのように回転させてもアーム２０を上記「交替設定」位置に係合できる。
【００４３】
上記の通り、複数の軸方向設定位置のそれぞれにおいて、異なる設定機能が発揮できる。変形例としては、複数の軸方向位置のそれぞれを目視でき、その位置で設定巻真が、例えばクロノ（「ＣＨＲＯＮＯ」）モード、タイマー（「ＴＩＭＥＲ」）モード、或いは時間（「ＴＯＤ」：TIME-OF-DAY）モードなどの異なる「モード」のような中間位置と係合するのを目視できる。ここで重要なことは、上記の点は従来技術に比べて顕著な改良であり、従来技術では一つのモードにおいて弾性アームと係合できるのみであり、従って本発明が可能とする使用のフレキシビリティを高めたものではない。
【００４４】
再び図２において、位置表示装置２８は設定巻真１６と協働して、回路１に対して、その時点で選択された１個の軸方向設定位置を表示する。位置表示装置２８は、機能レバー３２を備え、これが設定巻真１６と係合し且つ協働してその時点で選択された１個の軸方向設定位置を表示する。例えば、設定巻真１６は縮径部若しくはスロットを有する第２の部分１６ｂを有し、これが上記機能レバー３２の指部３２ａを保持している。設定巻真１６が軸方向に所定距離だけ移動すると、上記指部３２ａ並びに機能レバー３２が上記移動に応答して回転若しくは摺動する。機能レバー３２の移動を検知することで（詳細は以下に記載）、時計の回路１が設定巻真１６の軸方向における現時点で選択された１個の設定位置を決定する。
【００４５】
即ち、図２，図３，図５及び図６において、回路１はプリント回路板（ＰＣＢ）３４を有し、これがＩＣチップ２（図１）と接続されている。上記ＰＣＢ３４はプリント回路リード線３６を介してＩＣチップに接続された複数の接続端子３８を含んでいる。本発明によれば、図５に示すように、機能レバー３２の表示アーム３２ｂは、設定巻真１６が前記した軸方向の設定位置の所定の１個に位置しているときに、所定の状態にて接続端子の一つと接合している。例えば、接続端子３８ａは通常の「作動」位置を表しており、接続端子３８ｂは第１の「引き出し」設定位置を表し、接続端子３８ｃが「プッシュ」設定位置を表している。本発明のこの実施例において、設定巻真１６が回転すると、表示アーム３２ｂは複数の接続端子３８を電気的に接続する。従って上記回路１は設定巻真１６の現在位置が設定位置のどの位置にあるかに基づいて機能する。設定巻真１６が手動にて軸方向に作動されると（例えば、通常の「作動」位置から第１の「引き出し」位置まで引き出されると）、前記機能レバー３２は回転若しくは摺動して表示アーム３２ｂが通常の「作動」接続端子３８ａから第１の「引き出し」接続端子３８ｂに移行する。端子３８ｂにて電気的な接続が達成されて、設定巻真１６が「第１の引き出し」位置に位置することを時計のＩＣチップ２に伝達する。上記の通り、設定巻真１６が「プッシュ」位置に在るときには、表示アーム３２ｂは接続端子３８ｃと電気的に接続し、ＩＣチップ２は設定巻真１６が「プッシュ」位置にあることを検知できる。これに応答して、ＩＣチップ２は、例えば前記のように文字板を照明するなどの時計機能を作動させる。
【００４６】
尚、特定の設定位置と、特に、それによって設定される機能については例示的に記載したものであり、上記の記載が本願発明の権利範囲を限定的に解釈する要素となるものではない。例えば、第１の「プッシュ」位置は「スイッチ」位置に相当し、これは、表示装置６の照明をもたらすものとなる。「スイッチ」の機能即ち表示装置６の照明については、例えば第２の「プッシュ」位置が呼び出されたときに作動する、というようになっている。
【００４７】
本発明の要素に関する上記説明から理解されるように、設定巻真１６の回転方向と回転の度合い（rate of rotation）によって、電子時計１０の軸方向設定位置の一つに対応する補助的な回転方向の設定位置が提供される。従って、所定の設定機能が作用している間、設定巻真１６の時計回り方向の回転の度合いを検出することで、所定の設定機能中に時計１０に表示された数値は所定の一連の数値を介して逓増的に増加される。この逓増的な増加（又は減少）の割合（rate）は、設定巻真１６の時計回り方向（又は反時計回り方向）の回転度合いに直接対応することが望ましい。同様に、前記したように、設定巻真１６の歯２６と、バネスイッチアーム２０の中間部２０ａの好ましい構成は、所定の一連の数値を介して増加又は減少の割合に影響する。即ち、設定巻真１６の回転割合及び／又は歯の構成（例えば歯の数）は、現在の数値が所定数値群の次の数値によって置き換えられる割合を書き取ることができる。同様に、設定巻真１６の反時計回り回転の割合を検知することで、所定の設定機能の実施中に、時計１０によって表示された数値は、設定巻真１６の反時計回り方向の回転の割合に直接対応する割合にて一連の所定の数値を介して低減する。検知技術と逓増的な数値の最新化については以下に記載する。
【００４８】
図３において、竜頭スイッチ機構１２の前記諸要素が破断図形式的に示されている。具体的には、図３はこれらの要素が、時計１０のムーブメント枠体１４と竜頭スイッチ機構１２の本体３０内に、層状に組み立てられ且つネジ４０などにより保持される方法を示している。図３は更に設定巻真１６の好適な構成を示しており、この構成において、設定巻真１６は複数の歯２６を有する第１の部分１６ａと、機能レバー３２の指部３２ａを保持するスロットを備えた第２の部分１６ｂと、後述する設定巻真１６の軸方向の複数の設定位置を提供する戻り止めバネ４２と協働する複数のリング状の溝を備えた第３の部分とを有する。
【００４９】
図４は好ましい本体部３０の構成を示している。本体部３０は複数のキャビティ３０ａを含むと共に、突起３０ｂを形成して竜頭スイッチ機構１２の要素を保持している。具体的には、スイッチ機構１２の第１の層は上記本体部３０のキャビティ３０ａの一つに挿入された板バネ１８を有している。
【００５０】
図５において、竜頭スイッチ機構１２の次の層が示されている。次の層は前記ＰＣＢ３４、機能レバー３２、第１及び第２の電気接点２２，２４を備えている。図示の通り、好適な実施例では、ＰＣＢ３４は本体部３０の突起３０ｂの近傍に位置しており、他方、機能レバー３２は整列されて通常の「作動」接続端子３８ａと電気的に接続されている。
【００５１】
図６において、竜頭設定機構１２の最終層が示されているが、この構成において、設定巻真１６が本体部の孔３０ｃに挿入され、バネスイッチアーム２０が、設定巻真１６の回転軸（図示のＡ軸）に対して同じ平面において平行に配列され且つ固定的に装着されている。前記したとおり、バネスイッチアーム２０の第２の端部は、第１と第２の電気接点２２，２４との間にて整列されている。
【００５２】
上記最終層は更に戻り止めバネ４２を含んでいる。戻り止めバネ４２は設定巻真１５６の第３の部分１６ｃ（図３参照）のリング状溝と協働して、軸方向の設定位置群の中に設定巻真１６を保持する。具体的には、戻り止めバネ４２は設定巻真１６の第３の部分１６ｃと協働して、設定巻真１６が時計ケースから不意に、完全に引き出されてしまうのを防止している。
【００５３】
図１０は、本発明による竜頭スイッチ機構１２の別の実施例を示している。具体的には、第１と第２の電気接点２２，２４は剛性の電気接点２２’、２４’でありＰＣＢ３４に形成されている。更に、この図は本発明の構成が従来のスイッチ機構に比べて大きな利点があることを示している。即ち、バネスイッチアーム２０の第２の端部の移動は、歯２６が中間部２０ａと係合することによる偏倚点での中間部２０ａの移動よりも大きい。バネスイッチアーム２０の第２の端部において好適な電気的接続を達成することによって、本発明は第１と第２の電気接点２２，２４（この実施例では接点２２’、２４’）の位置決めに関する変動に対して適応性があり、安定した対応ができる。即ち、本発明のスイッチ機構は、電気的接点とバネスイッチアーム２０との相対的な位置関係に影響する製造上の誤差による変動があっても、適応することができ、支障が生じ難いものである。
【００５４】
上記のように、バネスイッチアーム２０と設定巻真１６が設定巻真１６の回転軸に平行に整列させることができることにより、製造上の誤差による変動に対する適応性の利点を発揮できる。この整列構成により、前記従来技術の米国特許第4,209,976号に記載のスイッチ機構に見られる欠陥を払拭できる。
【００５５】
好ましい実施例ということで記載してきたが、これらに基づいて多くの変形例が可能である。例えば、前記したように設定巻真の歯の構成或いは数は上記実施例に限定されるものではなく、歯の数や構成は、好ましい作動頻度や割合といった所定の設定機能が最新化されるように形成できるものである。
【００５６】
以上、本発明の好適な実施例について説明したが、本発明はこれらの実施例に特定されるものではなく、種々変更が可能である。
例えば、上記実施例は時計について説明したが、本発明は時計に限らず他の装置、例えばクロックなどの他の計時装置、壁装着型のサーモスタットや、壁取り付け型或いは把持型の保安装置等、家庭やオフィスなどにて採用できる種々の装置に適用出来るものである。即ち、本発明は本願明細書で記載したようなスイッチ機構が断続的な電気信号を設定動作期間中に発生させることのできる全ての電子機器に適用できるものである。
【図面の簡単な説明】
【図１】本発明によるマルチモード・マルチ機能型電子装置の集積回路及び他の要素を示すブロック図である。
【図２】図１に示す電子装置の裏側から見た平面図である。
【図３】本発明による竜頭スイッチ機構の構成を層状に表した拡大分解斜視図である。
【図４】簡便のためにある種の部材を除いた状態の、竜頭スイッチ機構の第１層を示す斜視図である。
【図５】簡便のためにある種の部材を除いた状態の、竜頭スイッチ機構の第２層を示す斜視図である。
【図６】図５に示す構成に更に他の要素・部材を加えた状態を示す竜頭スイッチ機構の斜視図である。
【図７Ａ】本発明の一実施例による竜頭スイッチ機構の部分正面図である。
【図７Ｂ】図７Ａの竜頭スイッチ機構の拡大平面図であり、電気パルスの増加分の発生を示す図である。
【図８Ａ】本発明の別の実施例による竜頭スイッチ機構の拡大された部分正面図であり、スイッチ機構における複数の軸方向及び回転方向の設定位置を示している図である。
【図８Ｂ】本発明の上記別の実施例による竜頭スイッチ機構の拡大された部分正面図であり、スイッチ機構における複数の軸方向及び回転方向の設定位置を示している図である。
【図８Ｃ】本発明の上記別の実施例による竜頭スイッチ機構の拡大された部分正面図であり、スイッチ機構における複数の軸方向及び回転方向の設定位置を示している図である。
【図８Ｄ】本発明の上記別の実施例による竜頭スイッチ機構の拡大された部分正面図であり、スイッチ機構における複数の軸方向及び回転方向の設定位置を示している図である。
【図８Ｅ】本発明の更に別の実施例による竜頭スイッチ機構の拡大された部分正面図である。
【図８Ｆ】本発明の上記更に別の実施例による竜頭スイッチ機構の拡大された部分正面図である。
【図８Ｇ】本発明の上記更に別の実施例による竜頭スイッチ機構の拡大された部分正面図である。
【図９Ａ】本発明の更に他の実施例による竜頭スイッチ機構の拡大された部分正面図である。
【図９Ｂ】本発明の上記更に他の実施例による竜頭スイッチ機構の拡大された部分正面図である。
【図９Ｃ】本発明の更に別の実施例による竜頭スイッチ機構の拡大された部分正面図である。
【図９Ｄ】本発明の上記更に別の実施例による竜頭スイッチ機構の拡大された部分正面図である。
【図１０】本発明の一実施例による竜頭スイッチ機構の拡大斜視図である。
【図１】
0003647808.tif 000002
【図２】
0003647808.tif 000003
【図３】
0003647808.tif 000004
【図４】
0003647808.tif 000005
【図５】
0003647808.tif 000006
【図６】
0003647808.tif 000007
【図７Ａ】
0003647808.tif 000008
【図７Ｂ】
0003647808.tif 000009
【図８Ａ】
0003647808.tif 000010
【図８Ｂ】
0003647808.tif 000011
【図８Ｃ】
0003647808.tif 000012
【図８Ｄ】
0003647808.tif 000013
【図８Ｅ】
0003647808.tif 000014
【図８Ｆ】
0003647808.tif 000015
【図８Ｇ】
0003647808.tif 000016
【図９Ａ】
0003647808.tif 000017
【図９Ｂ】
0003647808.tif 000018
【図９Ｃ】
0003647808.tif 000019
【図９Ｄ】
0003647808.tif 000020
【図１０】
0003647808.tif 000021